(57)【要約】【課題】リュックサックを地面や床、テーブル等においたときに自立可能とし、リュックサックの中に収納した物を転倒させないようにするとともに、取り出しやすくする。【解決手段】リュックサック１は、前面２と背当て面３を等辺とし、底面４を底辺として、略二等辺三角形の形状をなし、自立可能としている。底面４と背当て面３との長さの比率は１対２．４である。背当て面３と底面４の内側には、平面状のウレウタンフォームで形成された芯材５が取り付けられ、背当て面３と底面４は、芯材５により略直線状に支持される。【選択図】図１
2020031698.tif 000002
【特許請求の範囲】
【請求項１】
前面と背当て面を等辺とし、底面を底辺として、略二等辺三角形の形状をなし、自立可能としたこと、
を特徴とするリュックサック。
【請求項２】
前記底面と前記背当て面との長さの比率は１対２．４であること、
を特徴とする請求項１に記載のリュックサック。
【請求項３】
前記背当て面と前記底面の内側には、芯材が取り付けられ、前記背当て面と前記底面は、当該芯材により略直線状に支持されていること、
を特徴とする請求項１又は２に記載のリュックサック。
【請求項４】
前記芯材は平面状のウレウタンフォームで形成されていること、
を特徴とする請求項３に記載のリュックサック。
【請求項５】
前記前面の上部には、ファスナーにより開閉を行うＵ字状の蓋部が形成されていること、
を特徴とする請求項１から４までのいずれか１項に記載のリュックサック。
【請求項６】
前記蓋部の縁部には、その形状に沿って芯材が取り付けられていること、
を特徴とする請求項５に記載のリュックサック。
【請求項７】
前記縁部の芯材は棒状に形成されていること、
を特徴とする請求項６に記載のリュックサック。
【請求項８】
前記蓋部の底部は、前記蓋部が閉じている状態において、リュックサック本体の高さ方向略中央に位置していること、
を特徴とする請求項５から７までのいずれか１項に記載のリュックサック。
【発明の詳細な説明】
【技術分野】
【０００１】
本発明は、自立可能なリュックサックに関する。
【背景技術】
【０００２】
リュックサックは従来より背負ったときの利便性や心地良さ、収納性等に重点がおかれ開発されてきた。そのため、背負っていないときのリュックサックの利便性については特に考慮されず、それに関する発明や考案も特に見当たらない。
【０００３】
ところで、リュックサックを地面や床、テーブル等においたときに、リュックサックが自立しないことにより横に倒れ、リュックサックの中に収納した物も転倒して中身がこぼれてしまうことがあるといった課題があった。また、リュックサックが自立していれば、リュックサックを手で支える必要がなく、リュックサックの中のものを取り出しやすいというメリットがある。
【発明の概要】
【発明が解決しようとする課題】
【０００４】
本発明の主たる目的は、リュックサックの形状を略二等辺三角形にすることにより、置いたときに安定的に自立可能となるリュックサックを提供することにある。
【課題を解決するための手段】
【０００５】
上記目的を達成するため、本発明に係るリュックサックの第１の特徴は、前面と背当て面を等辺とし、底面を底辺として、略二等辺三角形の形状をなし、自立可能としたことにある。
【０００６】
また、本発明に係るリュックサックの第２の特徴は、前記第１の特徴における前記底面と前記背当て面との長さの比率が１対２．４であることにある。
【０００７】
さらに、本発明に係るリュックサックの第３の特徴は、前記第１又は第２の特徴における前記背当て面と前記底面の内側に、芯材が取り付けられ、前記背当て面と前記底面は、当該芯材により略直線状に支持されていることにある。
【０００８】
さらにまた、本発明に係るリュックサックの第４の特徴は、前記第３の特徴における前記芯材が平面状のウレウタンフォームで形成されていることにある。
【０００９】
また、本発明に係るリュックサックの第５の特徴は、前記第１から第４までのいずれかの特徴における前記前面の上部に、ファスナーにより開閉を行うＵ字状の蓋部が形成されていることにある。
【００１０】
さらにまた、本発明に係るリュックサックの第６の特徴は、前記第５の特徴における前記蓋部の縁部に、その形状に沿って芯材が取り付けられていることにある。
【００１１】
また、本発明に係るリュックサックの第７の特徴は、前記第６の特徴における前記縁部の芯材が棒状に形成されていることにある。
【００１２】
さらにまた、本発明に係るリュックサックの第８の特徴は、前記第５から第７のいずれかの特徴における前記蓋部の底部が、前記蓋部が閉じている状態において、リュックサック本体の高さ方向略中央に位置していることにある。
【発明の効果】
【００１３】
本発明によれば、リュックサックは安定して自立可能となるので、置いたときに収納した物を倒すことなくそのままの状態に保つことができるとともに、取り出しが容易となる。
【図面の簡単な説明】
【００１４】
【図１】リュックサックの側面図である。
【図２】リュックサックの蓋部が上方へ開けられている状態を示す断面側面図である。
【図３】リュックサックの側面の辺の長さが１対２．４の二等辺三角形で形成されていることを示す説明図である。
【図４】本発明の実施例におけるリュックサックの正面図である。
【図５】蓋部の縁部の状態を示したものである。
【発明を実施するための最良の形態】
【００１５】
以下、図面を参照して、本発明に係るリュックサックの実施の形態を実施例に沿って詳細に説明する。
【実施例１】
【００１６】
図中１はリュックサックであり、前面２、背当て面３、底面４を備えている。前面２は主にリュックサック１内部へ荷物を出し入れする部分であり、背当て面３はリュックサック１を背負った際、背中に当たる部分で、肩掛けベルト１６を備えている。また、底面４はリュックサック１の底部であり、リュックサック１を床や地面に置いた際にそれらの場所と接触する部分である。
【００１７】
図１から３は、リュックサック１の側面図であり、リュックサック１は側面からみて  前面２と背当て面３を等辺とし、底面４を底辺とする略二等辺三角形の形状に形成されている。この略二等辺三角形の各辺の長さの比率は底辺１に対し等辺２．４であることが望ましい。実施例では、底面４が１に対し、背当て面３は２．４の比率の長さで構成されている。
【００１８】
図２にあるように、背当て面３と底面４の内側には、芯材５が全体的に取り付けられている。芯材５は平面状で、材質としてはウレウタンフォームが望ましい。三角形状の３辺のうち背当て面３及び底面４の２辺に芯材５を取り付けることで、背当て面３及び底面４が略直線状に支持されて２辺の形状が固定され、安定した形状を保つことができる。また、リュックサックの形状を略二等辺三角形とすることで、床等に置いたときのリュックサックの安定感がまし、常に自立することができる。
【００１９】
図４は、リュックサック１の正面図であり、前面２の上部に略Ｕ字状の蓋部６が形成されている。蓋部６の縁部７には、開閉を行うファスナー８が設けられており、リュックサック１に物を収納したり、取り出す場合には、ファスナー８のスライダー（図示せず）をスライドさせ、蓋部６を図２のように上方に上げる。蓋部６のファスナー８の形状がＵ字状に形成されているため、力の入りやすい手前に引く力で蓋部６を容易に開閉可能となる。
【００２０】
また、縁部７にはその形状に沿って玉へり９が設けられ、その中に芯材１０が挿入、取り付けされている。芯材１０は、図示の例では棒状に形成されていて、材質はポリエステルが望ましい。これにより蓋部６の形状が保たれ、ファスナー８の開閉がスムーズになり、かつ、蓋部６が左右方向に垂れることがなくなり、リュックサック１の重心バランスが安定する。１１はリュックサック１本体の前身頃生地であり、玉へり９と縫着され、連続して設けられている。
【００２１】
さらに、蓋部６の縁部７の底部１２は、蓋部６が閉塞されている状態において、リュックサック１の高さ方向略中央に位置するように形成されている。これにより、蓋部６がリュックサック１の高さ全長に対しておよそ半分開くことになり、内容物を容易に目視でき、また出し入れしやすくなる。
【００２２】
図示の例では、前面２の下部であって、蓋部６の下方に、ファスナー１３を縁部に備えたポケット１４が設けられており、ファスナー１３のスライダー（図示せず）をスライドさせることにより、ポケット１４の開閉が可能となっていて、ポケット１４内へも物を収納できるようになっている。また、背当て面３にもファスナーを有しないポケット１５が設けられており、物の出し入れが可能になっている。本発明は、リュックサック１が側面略二等辺三角形に形成され、かつ、背当て面３及び底面４を芯材５が支持しているため、ポケット１４、１５内に荷物が収納されていても、前後に転倒しにくくなっている。なお、ポケット１４、１５は、不要な場合は設けなくてもよい。
【産業上の利用可能性】
【００２３】
本発明は、リュックサックだけでなく、バッグの分野にも応用することができ、例えばトートバッグのようなバッグにおいても、二等辺三角形のフォルムを保つことにより自立可能となる。
【符号の説明】
【００２４】
１        リュックサック
２        前面
３        背当て面
４        底面
５        芯材
６        蓋部
７        縁部
８        ファスナー
９        玉へり
１０      芯材
【図１】
2020031698.tif 000003
【図２】
2020031698.tif 000004
【図３】
2020031698.tif 000005
【図４】
2020031698.tif 000006
【図５】
2020031698.tif 000007